(57)【要約】【課題】炭化室内の圧力が早期に上昇しても、石炭装入口からのガス漏れを抑制、更には防止可能なコークス炉の石炭装入方法及び石炭装入装置を提供する。【解決手段】コークス炉１２に設けられた複数の炭化室１１へ石炭装入口１５を介して石炭を装入する石炭装入機能と、石炭装入口１５を含む炭化室１１の炉上を清掃する炉上清掃機能とを備え、コークス炉１２上を移動する石炭装入車１３により、石炭装入口１５から炭化室１１内へ石炭を装入した後、炭化室１１の炉上を清掃する石炭装入方法において、石炭装入口１５から炭化室１１内に石炭を装入する際に、炭化室１１内を正圧状態から負圧状態に切り替え、炭化室１１への石炭の装入後も、炭化室１１内を負圧状態に維持し、炭化室１１の炉上清掃の終了後に、炭化室１１内を負圧状態から正圧状態に切り替える。石炭装入装置１０は、上記した方法を適用している。【選択図】図１
2014214298.tif 000002
【特許請求の範囲】
【請求項１】
コークス炉に設けられた複数の炭化室へ石炭装入口を介して石炭を装入する石炭装入機能と、前記石炭装入口を含む前記炭化室の炉上を清掃する炉上清掃機能とを備え、前記コークス炉上を移動する石炭装入車により、前記石炭装入口から前記炭化室内へ石炭を装入した後、該炭化室の炉上を清掃する石炭装入方法において、
前記石炭装入口から前記炭化室内に石炭を装入する際に、前記炭化室内を正圧状態から負圧状態に切り替え、前記炭化室への石炭の装入後も、該炭化室内を負圧状態に維持し、該炭化室の炉上清掃の終了後に、該炭化室内を負圧状態から正圧状態に切り替えることを特徴とするコークス炉の石炭装入方法。
【請求項２】
請求項１記載のコークス炉の石炭装入方法において、前記石炭装入車に赤外線式検知器を設け、前記炭化室の炉上清掃が終了し、該炭化室内を負圧状態から正圧状態に切り替えた後に、前記赤外線式検知器が検知したことを条件として、再度、前記炭化室内を正圧状態から負圧状態に切り替えることを特徴とするコークス炉の石炭装入方法。
【請求項３】
請求項１又は２記載のコークス炉の石炭装入方法において、前記炭化室内の圧力調整は、前記炭化室に設けられた上昇管と、複数の前記炭化室から発生したガスを集合するドライメーンとを接続するベンド部へ供給する安水により行うことを特徴とするコークス炉の石炭装入方法。
【請求項４】
請求項１〜３のいずれか１項に記載のコークス炉の石炭装入方法を適用したことを特徴とする石炭装入装置。
【発明の詳細な説明】
【技術分野】
【０００１】
本発明は、コークス炉の石炭装入方法及び石炭装入装置に関する。
【背景技術】
【０００２】
コークスは、コークス炉上を移動する石炭装入車に積み込まれた石炭を、石炭装入口を介して炭化室内に装入し乾留することで製造されている。
この石炭の装入作業は、炭化室に取り付けた上昇管に接続されるベンド部に設けられた発生ガス冷却用のフラッシングノズルへ、通常供給している低圧安水に替えて高圧安水を供給し、吸引圧を強め、粉塵の飛散を防止しながら行うのが一般的である。
このように、炭化室に石炭を装入した後は、引き続き、石炭装入車に設けられた清掃手段により、炭化室の炉上に散らばった石炭等を除去する清掃作業を行っている。
なお、石炭装入時に供給する高圧安水は、清掃作業前に、低圧安水に切り替える。
【０００３】
また、近年、炭化室に装入する石炭として、事前に乾燥させた石炭や微粉炭を使用している。なお、微粉炭は、炭化室に装入する前に、予め粘結材等のバインダーを用いて塊成もしくは混練されている。また、近年は、リサイクルを目的に、石炭に廃プラスチックが０．５〜１０質量％の範囲で添加されることが増えてきた。
このように、炭化室には、石炭と共にバインダーやプラスチックが装入されるため、炭化室内の圧力が、石炭の装入後に早期に上昇している。
しかし、上記したように、石炭装入後には、フラッシングノズルへ低圧安水を供給しているため、炭化室内の圧力が早期に上昇した場合、石炭装入口からガス漏れするおそれが高まり、ガスの酸化発熱が懸念される。その結果、石炭装入車や石炭装入車に搭載された装置、例えば、清掃作業を行う清掃手段、が損傷する等のトラブルを予防するための設備が必要となるが、狭隘な石炭装入口周りの設備装置には、設備能力上の課題が多い。
【０００４】
この対処方法として、例えば、フラッシングノズルへ供給する安水を低圧安水に切り替えることなく、高圧安水を常時供給することも考えられるが、炭化室は多数あるため、設備能力上限界がある。
そこで、石炭装入口からのガス漏れを抑制する技術として、例えば、特許文献１には、石炭装入口（装入孔）を装入蓋で完全に閉塞する装置が、特許文献２には、装入蓋のシール性を改善する方法が開示されている。
また、特許文献３、４には、炭化室内の圧力を制御する方法が、それぞれ開示されている。
【先行技術文献】
【特許文献】
【０００５】
【特許文献１】実開平５−７２９４９号公報
【特許文献２】特開２０００−２０４３７３号公報
【特許文献３】特開平６−４１５３７号公報
【特許文献４】特開平６−２７１８５６号公報
【発明の概要】
【発明が解決しようとする課題】
【０００６】
しかしながら、前記従来の方法には、未だ解決すべき以下のような問題があった。
特許文献１の技術で、石炭装入口を装入蓋で完全に閉塞しても、また、特許文献２の技術で、装入蓋のシール性を高めても、例えば、装入口金具が変形したり、炭化室を構成する耐火物に亀裂が発生している場合には、炭化室内で発生したガスが、生成した隙間から炉上へ漏洩するおそれがある。
また、特許文献３、４の技術では、各炭化室に圧力測定装置や制御装置を設ける必要があり、設備コストがかかると共に、装置構成が複雑になる。更に、バインダーやプラスチックに起因した炭化室内の早期の圧力上昇に、充分に対応できないおそれもある。
【０００７】
本発明はかかる事情に鑑みてなされたもので、炭化室内の圧力が早期に上昇しても、石炭装入口からのガス漏れを抑制、更には防止可能なコークス炉の石炭装入方法及び石炭装入装置を提供することを目的とする。
【課題を解決するための手段】
【０００８】
前記目的に沿う第１の発明に係るコークス炉の石炭装入方法は、コークス炉に設けられた複数の炭化室へ石炭装入口を介して石炭を装入する石炭装入機能と、前記石炭装入口を含む前記炭化室の炉上を清掃する炉上清掃機能とを備え、前記コークス炉上を移動する石炭装入車により、前記石炭装入口から前記炭化室内へ石炭を装入した後、該炭化室の炉上を清掃する石炭装入方法において、
前記石炭装入口から前記炭化室内に石炭を装入する際に、前記炭化室内を正圧状態から負圧状態に切り替え、前記炭化室への石炭の装入後も、該炭化室内を負圧状態に維持し、該炭化室の炉上清掃の終了後に、該炭化室内を負圧状態から正圧状態に切り替える。
【０００９】
第１の発明に係るコークス炉の石炭装入方法において、前記石炭装入車に赤外線式検知器（ガスの酸化発熱検知器）を設け、前記炭化室の炉上清掃が終了し、該炭化室内を負圧状態から正圧状態に切り替えた後に、前記赤外線式検知器が検知したことを条件として、再度、前記炭化室内を正圧状態から負圧状態に切り替えることが好ましい。
【００１０】
第１の発明に係るコークス炉の石炭装入方法において、前記炭化室内の圧力調整は、前記炭化室に設けられた上昇管と、複数の前記炭化室から発生したガスを集合するドライメーンとを接続するベンド部へ供給する安水により行うことができる。
【００１１】
前記目的に沿う第２の発明に係るコークス炉の石炭装入装置は、第１の発明に係るコークス炉の石炭装入方法を適用している。
【発明の効果】
【００１２】
本発明に係るコークス炉の石炭装入方法及び石炭装入装置は、炭化室への石炭の装入後も炭化室内を負圧状態に維持し、炭化室の炉上清掃の終了後に、炭化室内を負圧状態から正圧状態に切り替えるので、負圧状態を維持する時間を従来よりも長くできる。これにより、炭化室内の圧力が早期に上昇しても、石炭装入口からのガス漏れを抑制できる。
【００１３】
特に、炭化室の炉上清掃が終了し、炭化室内を負圧状態から正圧状態に切り替えた後、赤外線式検知器が検知したことを条件として、炭化室内を正圧状態から負圧状態に切り替える場合、より確実に、石炭装入口からのガス漏れを抑制できる。
【図面の簡単な説明】
【００１４】
【図１】本発明の一実施の形態に係るコークス炉の石炭装入方法を適用する石炭装入装置の説明図である。
【図２】同石炭装入装置の使用方法の説明図である。
【図３】（Ａ）は従来例に係るコークス炉の石炭装入方法の説明図、（Ｂ）は本発明の一実施の形態に係るコークス炉の石炭装入方法の説明図である。
【発明を実施するための形態】
【００１５】
続いて、添付した図面を参照しつつ、本発明を具体化した実施の形態につき説明し、本発明の理解に供する。
図１、図２に示すように、本発明の一実施の形態に係るコークス炉の石炭装入方法を適用する石炭装入装置１０は、複数の炭化室１１を備えるコークス炉１２上を移動しながら、各炭化室１１内に石炭を装入する石炭装入車（装炭車ともいう）１３を有する装置であり、この石炭装入車１３は、炭化室１１へ石炭装入口１５を介して石炭を装入する石炭装入機能（以下、給炭機能ともいう）と、石炭装入口１５を含む（石炭装入口１５の周辺（近傍）も含む）炭化室１１の炉上を清掃する炉上清掃機能の２つの機能を備え、望ましくは、炭化室１１内に付着しているカーボンを除去するカーボン除去機能を含めた３つの機能を備えている。以下、詳しく説明する。
【００１６】
石炭装入車１３が走行するコークス炉１２は、複数の炭化室１１を有しており、隣り合う炭化室１１の間に燃焼室１４が設けられたものである。
各炭化室１１の上部には、複数の石炭装入口１５が、炭化室１１の押出機側からガイド車側へかけて、間隔を有して並べて設けられている。
なお、各炭化室１１の押出機側には、上昇管（図示しない）が設けられ、この上昇管に接続されたベンド部が、各炭化室１１から発生したガス（コークス炉ガス）を集合させるドライメーンに接続されている。
【００１７】
上記したベンド部では、安水（アンモニア水溶液）が噴射され、このエジェクタ効果で、炭化室１１内で発生したガスを吸引してドライメーンに導いている。なお、安水供給の系統として、高圧安水と低圧安水の２系統を、例えば、三方弁を介して接続している。
これにより、発生ガス量が多い石炭装入時には、高圧安水の系統から安水を噴射してガス吸引量の増大を図り（炭化室１１内を負圧状態とし）、一方、発生ガス量が少ない石炭乾留中には、低圧安水の系統から安水を噴射する（炭化室１１内を正圧状態とする）。なお、高圧安水の系統（ヘッダー管）の圧力は、例えば、２〜４ＭＰａ程度であり、低圧安水の系統（ヘッダー管）の圧力は、高圧安水の圧力よりも低く、例えば、１〜２ＭＰａ程度である。
【００１８】
石炭装入車１３は、図１に示すように、コークス炉１２炉上に、その長手方向に渡って取り付けられたレール１６を走行する走行台車１７を有している。これにより、石炭装入車１３を、図２に示すように、コークス炉１２の長手方向（コークスの押出し方向とは直交する方向）に往復移動させることができる。
この走行台車１７の載置台１８には、給炭機能を備える給炭手段１９、カーボンの酸化除去機能を備えるカーボン除去手段２０、及び炉上清掃機能を備える炉上清掃手段２１が、それぞれ設けられている。
【００１９】
給炭手段１９は、載置台１８に取り付け固定された複数の受炭ホッパー２２を有している。この受炭ホッパー２２は、コークス炉１２上に設けられた装入炭槽（図示しない）から切り出された石炭を貯留するものである。
この受炭ホッパー２２には、石炭を切出すための切出機２３と、切出した石炭を石炭装入口１５へ送るシュート２４が設けられている。このシュート２４は、上下動して、シュート２４の下端部が炭化室１１の各石炭装入口１５に着脱可能な構成となっている。
なお、給炭手段１９には、石炭装入口１５の装入蓋２５を着脱する蓋開閉手段２６等も設けられている。
【００２０】
カーボン除去手段２０は、石炭装入車１３の移動方向一方側（図１、図２において給炭手段１９の右側）の載置台１８に設けられている。
このカーボン除去手段２０は、空気を噴出するランス２７と、このランス２７を上下動可能に支持する台車２８を有している。なお、カーボン除去手段２０にも、石炭装入口１５の装入蓋２５を着脱する蓋開閉手段２９等が設けられている。
これにより、コークス押出直後の空窯状態の炭化室１１内に、石炭装入口１５を介してランス２７を装入し、炭化室１１内に空気を吹き込むことで、炭化室１１内に付着しているカーボンを除去でき、その後に行うコークス押出し作業時の負荷を低減できる。
【００２１】
炉上清掃手段２１は、石炭装入車１３の移動方向他方側（図１、図２において給炭手段１９の左側）の載置台１８に設けられている。
この炉上清掃手段２１は、例えば、石炭を装入する際に炭化室１１の炉上に散らばった石炭や、装入蓋２５をシールする際に飛び散ったシール材（モルタル等）等を吸引するクリーナ３０を有している。
また、クリーナ３０上方の載置台１８の下側であって、石炭装入口１５の直上又はその近傍の位置には、石炭装入口１５から吹き出すガスの酸化発熱を検知可能な赤外線式検知器３１が設けられている。
【００２２】
この赤外線式検知器３１には、一般に使用されている赤外線式火炎検知器等を使用できるが、温度による検知器は使用に適していない。これは、コークス炉１２の温度が非常に高温であり、温度による検知器を使用した場合、ガスの酸化発熱以外の要因に起因した誤検知を招くためである。
更に、炉上清掃手段２１が設けられた載置台１８の押出機側には、赤外線式検知器３１の検知時に、ベンド部に噴射する安水の系統を、低圧安水の系統から高圧安水の系統へ切り替える切り替え手段（図示しない）が設けられている。
【００２３】
上記したカーボン除去手段２０と炉上清掃手段２１は、図１、図２に示すように、給炭手段１９を中心として、等間隔の位置に配置されている。
具体的には、給炭手段１９が、石炭を装入する「Ｎ」番目の炭化室１１の上方に位置する場合、カーボン除去手段２０が、カーボンを除去する「Ｎ＋５」番目の炭化室１１の上方に、また、炉上清掃手段２１が、炉上の清掃を行う「Ｎ−５」番目の炭化室１１の上方に、それぞれ位置するように、給炭手段１９を中心として、カーボン除去手段２０と炉上清掃手段２１が配置されている。
【００２４】
これにより、石炭装入車１３が所定位置に停止した場合に、異なる３つの炭化室１１に対して、給炭、カーボン除去、及び炉上清掃の３つの作業を同時に行うことができる。従って、石炭装入車１３を用いてコークスを製造するに際しては、「Ｎ」番目の炭化室１１に対し、給炭手段１９によって石炭の装入が行われ、「Ｎ＋５」番目の炭化室１１（次回石炭装入予定窯）に対し、カーボン除去手段２０によってカーボンの除去が行われ、「Ｎ−５」番目の炭化室１１（前回石炭装入済窯）に対し、炉上清掃手段２１によって炉上の清掃が行われることになる。
なお、「Ｎ」番目の炭化室１１は、上記した石炭の装入前（石炭装入車１３の移動前）は、予めカーボン除去手段２０によってカーボンの除去が行われており、上記した石炭の装入後（石炭装入車１３の移動後）は、炉上清掃手段２１によって炉上の清掃が行われる。
【００２５】
なお、カーボン除去手段２０と炉上清掃手段２１の配置位置は、これに限定されるものではなく、給炭手段１９が、石炭を装入する「Ｎ」番目の炭化室１１の上方に位置する場合、これに隣り合う「Ｎ＋１」番目と「Ｎ−１」番目の炭化室１１を除いた炭化室１１について、カーボン除去と炉上清掃を行うことができる位置であればよい。具体的には、コークス炉の規模に応じて、カーボン除去手段２０が、カーボンを除去する「Ｎ＋２」番目、「Ｎ＋３」番目、・・・、の炭化室１１の上方に位置するように、また、炉上清掃手段２１が、炉上の清掃を行う「Ｎ−２」番目、「Ｎ−３」番目、・・・、の炭化室１１の上方に位置するように、それぞれ配置することができる。
【００２６】
以上に示した石炭装入車１３の走行と、給炭手段１９、カーボン除去手段２０、及び炉上清掃手段２１の各動作は、制御手段（図示しない）により、予め設定されたプログラムに基づいて制御されている。
また、制御手段には、赤外線式検知器３１の信号も入力され、赤外線式検知器３１の検知時には、制御手段によって切り替え手段の動作も制御する。
【００２７】
続いて、本発明の一実施の形態に係るコークス炉の石炭装入方法について、前記した石炭装入装置１０を用いて説明する。
まず、石炭装入車１３を、コークス炉１２に設けられた装入炭槽の石炭積込み可能位置まで移動させて停止し、装入炭槽内の石炭を、石炭装入車１３に並設された複数の受炭ホッパー２２へ供給する。
【００２８】
次に、石炭が供給された石炭装入車１３の給炭手段１９が、石炭を装入する「Ｎ」番目の炭化室１１の上方（所定位置）に到達するまで、石炭装入車１３を移動させる。このとき、カーボン除去手段２０が、「Ｎ＋５」番目の炭化室１１の上方に位置し、炉上清掃手段２１が、「Ｎ−５」番目の炭化室１１の上方に位置する。
これにより、「Ｎ」番目の炭化室１１内には、給炭手段１９により、石炭装入口１５を介して石炭が装入される。また、「Ｎ＋５」番目の炭化室１１では、カーボン除去手段２０により、押出作業後の空窯状態の炭化室１１内に付着しているカーボンを除去できる。そして、「Ｎ−５」番目の炭化室１１では、炉上清掃手段２１により、石炭装入後の炭化室１１（石炭装入口１５、更には、その周辺（近傍）も含む）の炉上清掃ができる。
【００２９】
上記した給炭作業、カーボン除去作業、及び炉上清掃作業が終了した後は、石炭装入車１３を再度、装入炭槽の石炭積込み可能位置まで移動させて停止し、装入炭槽内の石炭を複数の受炭ホッパー２２へ供給する。
そして、石炭装入車１３の給炭手段１９が、カーボン除去作業後の石炭を装入する「Ｎ＋５」番目の炭化室１１の上方に到達するまで、石炭装入車１３を移動させる。このとき、カーボン除去手段２０が、押出作業後の空窯状態の「Ｎ＋１０」番目の炭化室１１の上方に位置し、炉上清掃手段２１が、石炭装入後の「Ｎ」番目の炭化室１１の上方に位置する。
上記した作業を順次繰り返すことで、コークスを製造する。
【００３０】
ここで、石炭装入車１３の給炭手段１９及び炉上清掃手段２１の動作状況と、炭化室１１内の圧力状況について、図３（Ａ）、（Ｂ）を参照しながら時系列的に説明する。
なお、図３（Ａ）、（Ｂ）について、「Ｎ−５」番目の炭化室１１とは、前回行った石炭装入後に、今回、炉上清掃手段２１によって炉上清掃を行う炭化室であり、「Ｎ」番目の炭化室１１とは、前回行ったカーボン除去作業後に、今回、給炭手段１９によって石炭を装入する炭化室であり、前記したように、この炉上清掃作業と給炭作業は、停止した石炭装入車１３により同時に行われる。
【００３１】
まず、図３（Ａ）を参照しながら、従来例に係るコークス炉の石炭装入方法について説明する。
石炭装入車１３の給炭手段１９が、石炭装入を行う「Ｎ」番目の炭化室１１の上方に到達するまで石炭装入車１３を移動させ、停止させる（走行：ＯＦＦ）。
次に、前回行った石炭装入後に、今回炉上清掃を行う「Ｎ−５」番目の炭化室１１について、炉上清掃前に、ベンド部に噴射する安水の系統を、高圧安水の系統から低圧安水の系統へ切り替え、炭化室１１内を正圧状態にする（安水切替：低圧）。そして、炉上清掃手段２１のクリーナ３０を作動させ、「Ｎ−５」番目の炭化室１１の炉上清掃を行う（クリーナ：ＯＮ）。
【００３２】
一方、上記した炉上清掃の開始と共に、石炭装入を行う「Ｎ」番目の炭化室１１について、安水の系統を、低圧安水の系統から高圧安水の系統へ切り替え、炭化室１１内を正圧状態から負圧状態に切り替える（安水切替：高圧）。そして、蓋開閉手段２６により、装入蓋２５を取り外した後（装入蓋取：ＯＮ）、受炭ホッパー２２内の石炭を、シュート２４を介して「Ｎ」番目の炭化室１１内に装入する（石炭装入：ＯＮ）。
石炭の装入が終了した後（石炭装入：ＯＦＦ）は、蓋開閉手段２６により石炭装入口１５に装入蓋２５を取り付け（装入蓋着：ＯＮ）、石炭装入車１３を再度、装入炭槽の石炭積込み可能位置まで移動させて（走行：ＯＮ）停止し（走行：ＯＦＦ）、装入炭槽内の石炭を複数の受炭ホッパー２２へ供給する（受炭：ＯＮ）。なお、石炭の装入が終了した「Ｎ」番目の炭化室１１は、上記したように、次回行われる炉上清掃の開始前まで、負圧状態が維持される。
【００３３】
コークスの製造にあっては、以上の操作を順次繰り返しているが、前記したように、炭化室１１内には、石炭と共にバインダーやプラスチックが装入されるため、石炭装入後に炉上清掃が行われる「Ｎ−５」番目の炭化室１１内の圧力が、石炭の装入後に早期に上昇する。
そこで、本発明者らは、鋭意検討した結果、本発明のコークス炉の石炭装入方法に想到した。即ち、「Ｎ−５」番目の炭化室１１への石炭の装入後も、この炭化室１１内を負圧状態に維持し、炭化室１１の炉上清掃の終了後に、この炭化室１１内を負圧状態から正圧状態に切り替える。以下、図３（Ｂ）を参照しながら説明する。
【００３４】
石炭装入車１３の給炭手段１９が、石炭装入を行う「Ｎ」番目の炭化室１１の上方に到達するまで石炭装入車１３を移動させ、停止させる（走行：ＯＦＦ）。
次に、前回行った石炭装入後に、今回炉上清掃を行う「Ｎ−５」番目の炭化室１１について、ベンド部に噴射する安水の系統を、石炭装入時の高圧安水の系統から切り替えることなく、炭化室１１内を負圧状態に維持した（安水切替：高圧）状態で、炉上清掃手段２１のクリーナ３０を作動させ、「Ｎ−５」番目の炭化室１１の炉上清掃を行う（クリーナ：ＯＮ）。
【００３５】
一方、上記した炉上清掃の開始と共に、石炭装入を行う「Ｎ」番目の炭化室１１について、安水の系統を、低圧安水の系統から高圧安水の系統へ切り替え、炭化室１１内を負圧状態にする（安水切替：高圧）。
そして、蓋開閉手段２６により、装入蓋２５を取り外した後（装入蓋取：ＯＮ）、受炭ホッパー２２内の石炭を、シュート２４を介して「Ｎ」番目の炭化室１１内に装入する（石炭装入：ＯＮ）。
【００３６】
なお、上記した「Ｎ−５」番目の炭化室１１の炉上清掃作業は、「Ｎ」番目の炭化室１１内への給炭作業よりも早く終了する。このため、「Ｎ」番目の炭化室１１の給炭作業の途中で、炉上清掃手段２１のクリーナ３０を停止させ（クリーナ：ＯＦＦ）、「Ｎ−５」番目の炭化室１１の炉上清掃が終了した後に、安水の系統を、高圧安水の系統から低圧安水の系統へ切り替え、炭化室１１内を負圧状態から正圧状態に切り替える（安水切替：低圧）。
また、炉上清掃作業の終了後に、装入蓋２５をシールする場合は、このシール作業の終了後に、安水の系統を、高圧安水の系統から低圧安水の系統へ切り替えるのがよい。
【００３７】
「Ｎ」番目の炭化室１１内への石炭の装入が終了した後（石炭装入：ＯＦＦ）は、この炭化室１１内を負圧状態に維持（高圧維持）したまま、蓋開閉手段２６により石炭装入口１５に装入蓋２５を取り付け（装入蓋着：ＯＮ）、石炭装入車１３を装入炭槽の石炭積込み可能位置まで移動させて（走行：ＯＮ）停止し（走行：ＯＦＦ）、装入炭槽内の石炭を複数の受炭ホッパー２２へ供給する（受炭：ＯＮ）。
以上の操作を順次繰り返すことで、「Ｎ−５」番目の炭化室１１内の圧力が早期に上昇しても、炭化室１１内の発生ガスはドライメーンに回収されるため、石炭装入口１５からのガス漏れを抑制、更には防止できる。
【００３８】
なお、上記したように、「Ｎ−５」番目の炭化室１１の炉上清掃作業は、「Ｎ」番目の炭化室１１内への給炭作業よりも早く終了するため、炉上清掃が終了し、炭化室１１内を負圧状態から正圧状態に切り替えた後も、上昇した「Ｎ−５」番目の炭化室１１内の圧力が充分に低下していなければ、石炭装入口１５からガス漏れが発生するおそれがあり、ガスの酸化発熱による石炭装入車１３の損傷を防止する必要がある。
そこで、石炭装入車１３に設けられた赤外線式検知器３１により、石炭装入口１５から漏洩するガスの酸化発熱の有無を検知することが好ましい。ここで、破線に示すように、赤外線式検知器３１が検知（赤外線検知：ＯＮ）したことを条件として、再度、安水の系統を、低圧安水の系統から高圧安水の系統へ切り替え、炭化室１１内を正圧状態から負圧状態に切り替える。この切り替えは、前記した切り替え手段により行うのがよい。
【００３９】
このように、赤外線式検知器３１が検知した場合は、石炭装入車１３は停止した状態を維持（走行：ＯＦＦ）するため、受炭ホッパー２２の受炭も行われない（受炭：ＯＦＦ）。
なお、石炭装入口１５からの漏洩ガスの酸化発熱が終了した後は、前記したように、石炭装入車１３を装入炭槽の石炭積込み可能位置まで移動させて（走行：ＯＮ）停止し（走行：ＯＦＦ）、装入炭槽内の石炭を複数の受炭ホッパー２２へ供給する（受炭：ＯＮ）。
これにより、より確実に、石炭装入口１５からのガス漏れを防止でき、漏洩ガスの酸化発熱による石炭装入車１３やこれに搭載される装置の損傷を防止できる。
【００４０】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明のコークス炉の石炭装入方法及び石炭装入装置を構成する場合も本発明の権利範囲に含まれる。
また、前記実施の形態においては、炭化室内の圧力調整を、ベンド部へ供給する安水により行った場合について説明したが、炭化室内を正圧状態又は負圧状態に切り替えることができれば、これに限定されるものではない。
そして、前記実施の形態においては、石炭装入車が、石炭装入機能、炉上清掃機能、及びカーボン除去機能の３つの機能を備えた場合について説明したが、カーボン除去機能はなくてもよい。この石炭装入車の使用にあっては、石炭装入車が所定位置に停止した場合に、異なる２つの炭化室に対して、給炭と炉上清掃の２つの作業が同時に行われる。
【符号の説明】
【００４１】
１０：石炭装入装置、１１：炭化室、１２：コークス炉、１３：石炭装入車、１４：燃焼室、１５：石炭装入口、１６：レール、１７：走行台車、１８：載置台、１９：給炭手段、２０：カーボン除去手段、２１：炉上清掃手段、２２：受炭ホッパー、２３：切出機、２４：シュート、２５：装入蓋、２６：蓋開閉手段、２７：ランス、２８：台車、２９：蓋開閉手段、３０：クリーナ、３１：赤外線式検知器
【図１】
2014214298.tif 000003
【図２】
2014214298.tif 000004
【図３】
2014214298.tif 000005